(57)【要約】【課題】メーターボックス内にある止水栓を開栓した状態で，既存の水道蛇口の古いコマパッキングを、新コマパッキングに交換することができるコマパッキング取替え具を供する。【解決手段】略縦長ボール形状の布袋（１）を形成し、該布袋（１）の一方側面中央部に水平方向に突出した開口（３）を設け、該開口部より既存の水道蛇口（１０）を、布袋（１）内部に封入し、ハンドル（１１）と軸（１２）とコマパッキング（１３）とを、袋（１）外面部側より探りながら取外し、布袋（１）の上端部に設けた仮止栓（６）に入替えて既存の水道蛇口（１０）部を密栓し、古いコマパッキング（１３）を取出し、新コマパッキングと入替える。【選択図】図１
2010121431.tif 000002
【特許請求の範囲】
【請求項１】
略縦長ボール形状の布袋（１）を形成し、該布袋（１）の一方側面中央部に水平方向に突出した開口（３）を設け、該開口（３）部に近接して、開口（３）の片側縁部にロープ（４）を上下方向に均等長さにふりわけた中央部を固着し、布袋（１）の他方側面中央部に縦方向に設けたチャック（５）と、上端部に設けた仮止栓（６）と、該仮止栓（６）付近に設けたドライバー（９）と、下端部に設けたネット（２）よりなり、既存の水道蛇口（１０）を、上記の開口（３）より布袋（１）内部に封止し、既存の水道蛇口（１０）のコマパッキング（１３）を、新コマパッキングに入替える事を特徴とするコマパッキング取替え具。
【請求項２】
仮止栓（６）は、布袋（１）の上端の外面部に、軸（７）上先端部を鉛直方向に貫設し、該軸（７）の上先端部にハンドル（１４）を設け、下先端部にパッキング（８）を設け、上下間の中央部におすネジ（１７）を設けてなり、布袋（１）内部に封入した既存の水道蛇口（１０）のハンドル（１１）と軸（１２）とコマパッキング（１３）とを、仮止栓（６）に入替えて既存の水道蛇口（１０）部を密栓する事を特徴とする請求項１記載のコマパッキング取替え具。
【請求項３】
ドライバー（９）は、布袋（１）の上端部に設けた仮止栓（６）付近に設け、布袋（１）の外面部に、ドライバー軸（１６）の上先端部を斜上方向に曲がって貫設し、該上先端部に取手（１５）を設け、下先端軸部をとがった軸先形状としてなり、既存の水道蛇口（１０）内部のコマパッキング（１３）をかきだす事を特徴とする請求項１又は２記載のコマパッキング取替え具。
【請求項４】
ロープ（４）の全長は、略縦長ボール形状の布袋（１）の縦寸法と略同寸法の長さとしてなり、既存の水道蛇口（１０）の首部にロープ（４）を介し、封止する事を特徴とする請求項１、２又は３記載のコマパッキング取替え具。
【発明の詳細な説明】
【技術分野】
【０００１】  本発明は、水を止めないで既存のコマパッキングを取出し、新コマパッキングと入替えることが出来るコマパッキング取替え具に関するものである。
【背景技術】
【０００２】  一般に、一戸建住宅、及び中高層住宅においては、メーターボックス内の止水栓を閉栓し，すべての給水を止めてから既存の水道蛇口の古いコマパッキングを、新コマパッキングに交換している。
【発明の開示】
【発明が解決しようとする課題】
【０００３】  しかしながら、上記のメーターボックス内にある止水栓で，すべての給水を止めてから既存の水道蛇口のハンドルと軸部を取外し、古いコマパッキングを、新コマパッキンングに交換することは、止水栓より各水道蛇口、及び、設備機器に至る配管内の水圧がゼロ圧になり、古い埋設配管においては、埋設配管の外側の外圧により配管内に汚水が流入する恐れがある。又、不適切な吐水口空間の器具、及び、水道蛇口にホースが接続されている場合などで、負圧によるサイフォン現象により配管内に汚水が流入する恐れがある。【０００４】  また、水道蛇口の古いコマパッキングを、新コマパッキングに交換する時に、既存配管内に空気が流入する為、メーターボックス内にある止水栓より各設備機器に至る配管内の空気抜きをする必要があり、同系統配管のすべての設備器具部を順に開放して水をだしなが空気抜きと、管内の溜水を放水して調整する必要がある。【０００５】  かりに、上記の空気抜きをしない場合、一戸建住宅では、給水本管の圧力が満足する場合に採用される直結給水方式においては約１ｋｇ／ｃｍの水圧があり、水圧で配管内の空気が圧縮され水道蛇口を開けると同時に急激に水と空気が放出される為、各設備機器においては、機器に至る配管内に空気が入り、機器部に圧力がかかり、損傷の恐れがある。なお、高置タンク方式の場合は約４ｋｇ／ｃｍの以下水圧で設計され、さらに十分な調整を要す。【０００６】  また、約１ｋｇ／ｃｍの水圧は水深１０ｍの水深圧があり、配管内に空気が溜まると、その部分の配管の断面積が小さくなり流速が速くなり、抵抗になる為に、振動と音が発生するウォータハンマ現象が発生し、設備機器、配管部を損傷する恐れがある。
【課題を解決するための手段】
【０００７】  上記目的達成のために、本発明は、略縦長ボール形状の布袋（１）を形成し、該布袋（１）の一方側面中央部に水平方向に突出した開口（３）を設け、該開口（３）部に近接して、開口（３）の片側縁部にロープ（４）を上下方向に均等長さにふりわけた中央部を固着し、布袋（１）の他方側面中央部に縦方向に設けたチャック（５）と、上端部に設けた仮止栓（６）と、該仮止栓（６）付近に設けたドライバー（９）と、下端部に設けたネット（２）よりなり、既存の水道蛇口（１０）を、上記の開口（３）より布袋（１）内部に封止し、既存の水道蛇口（１０）のコマパッキング（１３）を、新コマパッキングに入替える事を特徴とするコマパッキング取替え具を供する。また、仮止栓（６）は、布袋（１）の上端の外面部に、軸（７）上先端部を鉛直方向に貫設し、該軸（７）の上先端部にハンドル（１４）を設け、下先端部にパッキング（８）を設け、上下間の中央部におすネジ（１７）を設けてなり、布袋（１）内部に封入した既存の水道蛇口（１０）のハンドル（１１）と軸（１２）とコマパッキング（１３）とを、仮止栓（６）に入替えて既存の水道蛇口（１０）部を密栓する事ができる。また、ドライバー（９）は、布袋（１）の上端部に設けた仮止栓（６）付近に設け、布袋（１）の外面部に、ドライバー軸（１６）の上先端部を斜上方向に曲がって貫設し、該上先端部に取手（１５）を設け、下先端軸部をとがった軸先形状としてなり、既存の水道蛇口（１０）内部のコマパッキング（１３）をかきだす事ができる。また、ロープ（４）の全長は、略縦長ボール形状の布袋（１）の縦寸法と略同寸法の長さとしてなり、既存の水道蛇口（１０）の首部にロープ（４）を介し、封止する事ができる。
【発明の効果】
【０００８】  本発明のコマパッキング取替え具は、水を止めないで既存のコマパッキングを取出し、新コマパッキングと入替えることが出来る。結果、既存配管内に空気の流入もなく、コマパッキングの交換後の空気抜き調整が不要になり、さらに、振動と音が発生して、配管、及び設備機器の損傷の恐れがなくなる。そして、同じ配管系統の各水道蛇口で給水を止めることが出来ない水道蛇口がある場合でもコマパッキングの交換ができる効果がある。
【発明を実施するための最良の形態】
【０００９】  次に、実施の形態を示す図面に基づき本発明によるコマパッキング取替え具をさらに詳しく説明する。図１乃至図３において、コマパッキング取替え具は、略縦長ボール形状の布袋（１）を形成し、該布袋（１）の一方側面中央部に水平方向に突出した開口（３）を設け、該開口（３）部に近接して、開口（３）の片側縁部に３ｍｍのロープ（４）を上下方向に均等長さにふりわけた中央部を固着し、布袋（１）の他方側面中央部に縦方向に設けたチャック（５）と、上端部に設けた仮止栓（６）と、該仮止栓（６）付近に設けたドライバー（９）と、下端部に設けたネット（２）よりなる。【００１０】  即ち、布袋（１）は、略縦長ボール形状の布袋（１）で形成し、下端部にネット（２）を設けて、既存の水道蛇口（１０）のコマパッキング（１３）の交換時に出る水の水はけをよくする。そして、布袋（１）の一方側面中央部に水平方向に突出した開口（３）を設け、該開口（３）部に近接して、開口（３）の片側縁部に上下方向に均等の長さに３ｍｍのロープ（４）の中央部を固着し、既存の水道蛇口（１０）のハンドル（１１）に連接された軸（１２）とコマパッキング（１３）部を、開口（３）より包込むように、布袋（１）内部に封入し、開口（３）部を、水道蛇口（１０）の首部にロープ（４）で巻き付けて、むすび止して封止する。そして、布袋（１）の他方側面中央部に縦方向に設けたチャック（５）を開けて、布袋（１）内のコマパッキング（１３）を取出すことができる構成になっている。また、水道蛇口の種類として、自在水洗、横自在水洗、洗濯機用水洗、カップリング横水洗、万能ホーム水洗、など、形状により、上記の布袋（１）内に入りにくい場合は、格器具の水が噴出するノズル部を取り外してから使用することができる。【００１１】  図７乃至図８において、仮止栓（６）は、布袋（１）の上端の外面部に、５ｍｍ丸鋼の軸（７）の上先端部を鉛直方向に突出して貫設し、該軸（７）の上先端部にハンドル（１４）を設け、下先端部にゴムパッキング（８）を設け、上下間の中央部におすネジ（１７）を設けてなる。そして、該おすネジ（１７）が既存の水道蛇口（１０）のめすねじ（１９）部にねじ込まれて、軸（７）の下先端部のゴムパッキング（８）を介し密栓され、既存の水道蛇口（１０）のハンドル（１１）と軸（１２）とコマパッキング（１３）と同じ役わりと形状を備えた構成になっている。【００１２】  ドライバー（９）は、布袋（１）の上端部に設けた仮止栓（６）付近に設け、布袋（１）の外面部に、３ｍｍの丸鋼のドライバー軸（１６）の上先端部を斜上方向に曲がって突出して貫設し、該上先端部に取手（１５）を設け、下先端軸部をとがった軸先形状になっている。そして、既存の水道蛇口（１０）内部の古いコマパッキング（１３）をかきだすことができる。【００１３】    次に、図４乃至図６を参照して、本実施の形態によるコマパッキング取替え具の作用、効果を説明する。まず、図４乃至５を参照して、既存の水道蛇口（１０）の軸（１２）のパッキング押さえ（１８）をゆるめる。そして、既存の水道蛇口（１０）を布袋（１）の開口（３）より、布袋（１）内部に包込むようにいれる。そして、開口（３）部に近接する３ｍｍのロープ（４）を介して布袋（１）の開口（３）部を、水道蛇口（１０）の首部にロープ（４）で巻くようにしてむすび、封止する。そして、布袋（１）の外側布面表面部に、既存の水道蛇口（１０）部のかたちにそって現れるのを、袋（１）外面部側より探りながら取外す。この時、既存の水道蛇口（１０）から全開状態で水が布袋（１）内に噴出するが袋（１）が包込むように噴出力をやわらげ、さらに、ネット（２）で圧抜きして排水する。そして、図６に参照して、すばやく、仮止栓（６）に入替えて水道蛇口（１０）部を密栓し、チャック（５）を開けて既存のコマパッキング（１３）を取出し、新コマパッキングと入替える。【００１４】  本発明のコマパッキング取替え具は、水を止めないで既存のコマパッキングを取出し、新コマパッキングと入替えることが出来る。結果、既存配管内に空気の流入もなく設備機器の損傷やウォータハンマによる配管の振動や音の問題がなく、不適切な吐水空間の器具、及び、水道蛇口にホースが接続されている場合における、負圧によるサイフォン現象により配管内に汚水の流入する危険がなくなる。また、コマパッキングの交換後の空気抜きと配管内の溜水の排水調整が不要になる効果がある。さらに、同じ配管系統の各水道蛇口で給水を止めることが出来ない水道蛇口がある場合でもコマパッキングの交換ができる効果がある。
【図面の簡単な説明】
【００１５】
【図１】本発明によるコマパッキング取替え具の実施の形態を示す正面図である。
【図２】図１の左側面図である。
【図３】図１のＡ−Ａ矢視図である。
【図４】本発明によるコマパッキング取替え具を、既存の水道蛇口（１０）部に開口（３）より布袋（１）内部に封入した実施の形態を示す左側面図である。
【図５】図４のＢ−Ｂ部分断面図である。
【図６】本発明によるコマパッキング取替え具を、既存の水道蛇口（１０）の首部にロープ（４）で封止し、仮止栓（６）に入替えて水道蛇口（１０）部を密栓した正面部分断面図である。
【図７】仮止栓（６）の正面図である。
【図８】図７のＣ−Ｃ断面図である。
【符号の説明】
【００１６】  １布袋、２ネット、３開口、４ロープ、５チャック、６仮止栓、７軸、８ゴムパッキング、９ドライバー、１０既存の水道蛇口、１１ハンドル、１２軸、１３コマパッキング、１４ハンドル、１５取手、１６ドライバー軸、１７おすネジ１８パッキング押さえ
【図１】
2010121431.tif 000003
【図２】
2010121431.tif 000004
【図３】
2010121431.tif 000005
【図４】
2010121431.tif 000006
【図５】
2010121431.tif 000007
【図６】
2010121431.tif 000008
【図７】
2010121431.tif 000009
【図８】
2010121431.tif 000010